(57)【要約】【課題】アルバムの表紙に熱転写法又は圧着法により特定の写真が貼り付けられ、アルバムに高級感を保ちつつ、個性を付与して他と差別化し、更には、転写される写真が耐水性、耐久性を有し、高品質な写真表紙アルバムを提供する。【解決手段】卒業記念アルバム、遺稿集、風景のアルバム及び写真集等のアルバム１１の布地１２、皮革、又は合成樹脂シート等で形成された少なくとも表表紙１３に、熱転写法又は圧着法により熱転写用紙１９又は圧着用紙に印刷されたアルバム１１の主題又は持ち主を表す写真１４が貼り付けられている。【選択図】　　　　図１
2004050496.tif 000002
【特許請求の範囲】
【請求項１】
アルバムの少なくとも表紙に熱転写法又は圧着法により前記アルバムの主題又は持ち主を表す写真が貼り付けられていることを特徴とする写真表紙アルバム。
【請求項２】
請求項１記載の写真表紙アルバムにおいて、前記アルバムの表紙の表面は布地であって、前記写真はインクジェットプリンタにより熱転写用紙に出力された写真が、１５０〜２００℃の加熱によって、前記布地に熱転写されたものであることを特徴とする写真表紙アルバム。
【請求項３】
請求項１記載の写真表紙アルバムにおいて、前記アルバムの表紙の表面は布地であって、前記写真はインクジェットプリンタにより圧着用紙に出力された写真が、加圧によって、前記布地に圧着により転写されたものであることを特徴とする写真表紙アルバム。
【請求項４】
請求項１〜３のいずれか１項に記載の写真表紙アルバムにおいて、同一の内容を有した複数の前記アルバムは、該アルバムの持ち主によって、前記表紙に転写される写真が異なることを特徴とする写真表紙アルバム。
【発明の詳細な説明】
【０００１】
【発明の属する技術分野】
本発明は、アルバムの表紙に熱転写又は圧着による転写により特定の写真が貼り付けられた写真表紙アルバムに関する。
【０００２】
【従来の技術】
従来、写真アルバムの表紙は、ボール紙の表面に布等を貼り付けたり、ビニール加工したものを使用していた。アルバムの表紙は、中身を保護し、アルバムの強度を補強するだけでなく、その外観からアルバム自体の価値も表現するものであり、それ自体のデザインや装飾などによりアルバムの価値を高めることができる。例えば、高級感を表すものとして、布地や皮革が用いられ、その表面にはカラー写真を貼り付けたり、カラーデザインをしていた。更に、表面にビニール加工を施して光沢のある見た目のよい鮮やかな表紙を造っていた。また、布地や皮革の上にシルク印刷や箔押しをして更に美しくしていた。
【０００３】
【発明が解決しようとする課題】
しかしながら、前記従来の写真表紙アルバムは未だ解決すべき以下のような問題があった。
布地や皮革の表面にカラー写真を貼り付けても剥がれ易く、また、ビニール加工時のトラブルも多かった。また、光による退色が速く、耐水性が悪く、また表面強度が弱かった。シルク印刷では、その写真階調の表現力やコストの面で問題があり、更には高価な設備が必要であった。また、卒業記念アルバム等では、単一製品として、内容が全く同じ複数のアルバムが製作されており、持ち主によってその表紙にそれぞれ違う写真を貼り付けるにはコストがかかりすぎるという問題があった。
本発明はかかる事情に鑑みてなされたもので、アルバムの表紙に熱転写又は圧着による転写により特定の写真が貼り付けられた写真表紙アルバムを提供することを目的とする。
【０００４】
【課題を解決するための手段】
前記目的に沿う本発明に係る写真表紙アルバムは、アルバムの少なくとも表紙に熱転写法又は圧着法によりアルバムの主題又は持ち主を表す写真が貼り付けられている。これによって、アルバムの表紙に特定の写真を転写することができる。ここで、アルバムには卒業記念アルバム、結婚式のアルバム、遺稿集、花や風景等のアルバム及び写真集等がある。例えば、卒業記念アルバムの表紙に貼り付ける写真は、その持ち主（個人）の写真であっても、持ち主が所属するクラス又はクラブ等の集合写真でもよく、更には校舎等の風景の写真を転写してもよい。また、その持ち主の選んだ写真でもよい。
通常、アルバムの表紙表面は、例えば、布地、皮革又は合成樹脂シートにより形成され、熱転写法より転写を行う場合は、布地及び皮革では熱転写温度を約２００℃とし、合成樹脂シートの場合は、約６０℃とするのが好ましい。
【０００５】
本発明に係る写真表紙アルバムにおいて、アルバムの表紙の表面は布地であって、写真はインクジェットプリンタにより熱転写用紙に出力（印刷）された写真を、１５０〜２００℃の加熱によって、布地に熱転写してもよい。これによって、アルバム表面の布地に簡単に写真を転写することができる。転写する写真は、一般の銀塩フィルム用カメラ又はデジタルカメラで撮ってもよい。プリンタに出力するためには、写真をデジタルデータにするので、デジタルカメラで撮るのが好ましい。また、銀塩カメラで撮影した場合には、そのフィルムをスキャンニングしてもよく、また、焼き付けをした写真をスキャンニングしてもよい。これらのデジタルデータをパソコンに取り込み後、補正又は加工を行ってもよい。
【０００６】
熱転写用紙は、インクジェットプリンタで使用できるものであればよく、正像を転写するもの、逆像（左右反転）を転写するものでもよい。その場合には、インクジェットプリンタでの出力時に正像、若しくは逆像で出力する。また、高い温度が加えられない布地に熱転写する場合には、低温、例えば６０℃程度で転写できる低温タイプの熱転写用紙を使用すればよい。
また、インクジェットプリンタは熱転写用紙に対応すればよい。インクジェットプリンタへの出力には、コンピュータからデータを送ってもよく、デジタルカメラや記憶媒体（メモリーカード、ＣＤ−ＲＯＭ、又は、ＭＯ等）等から、直接データの取り込みを行って出力してもよい。
このようにして、インクジェットプリンタで出力され、アルバムの表紙に転写された写真は耐水性、耐光性が高く、長寿命性を有している。
【０００７】
本発明に係る写真表紙アルバムにおいて、アルバムの表紙の表面は布地であって、写真はインクジェットプリンタにより圧着用紙に出力された写真を、加圧によって、前記布地に圧着により転写してもよい。これによって、アルバム表面の布地に簡単に写真を転写することができる。転写する写真は、一般の銀塩フィルム用カメラ又はデジタルカメラで撮ってもよい。プリンタに出力するためには、写真をデジタルデータにするので、デジタルカメラで撮るのが好ましい。また、銀塩カメラで撮影した場合には、そのフィルムをスキャンニングしてもよく、また、焼き付けをした写真をスキャンニングしてもよい。これらのデジタルデータをパソコンに取り込み後、補正又は加工を行ってもよい。
【０００８】
圧着用紙は、インクジェットプリンタで使用できるものであればよく、正像を転写するもの、逆像（左右反転）を転写するものでもよい。その場合には、インクジェットプリンタでの出力時に正像、若しくは逆像で出力する。また、インクジェットプリンタは圧着用紙に対応すればよい。インクジェットプリンタへの出力には、コンピュータからデータを送ってもよく、デジタルカメラや記憶媒体（メモリーカード、ＣＤ−ＲＯＭ、又は、ＭＯ等）等から、直接データの取り込みを行って出力してもよい。
このようにして、インクジェットプリンタで出力され、アルバムの表紙に転写された写真は耐水性、耐光性が高く、長寿命性を有している。
【０００９】
本発明に係る写真表紙アルバムにおいて、同一の内容を有した複数のアルバムは、アルバムの持ち主によって、表紙に転写される写真が異なってもよい。これによって、同じ内容のアルバムであっても、それぞれに個性のあるアルバムを造ることができる。例えば、卒業記念アルバムの表紙に、その持ち主である卒業生の写真を転写すると、内容の全く同じアルバムであっても、卒業生一人一人の専用のアルバムを造ることができる。また、クラスメイトや所属したクラブ等の写真を転写してもよく、それぞれ個性的なアルバムを造ることができる。
結婚式のアルバム、遺稿集、花や風景の写真集等も、一つ一つ異なった写真がついた表紙にすることもできる。
【００１０】
【発明の実施の形態】
続いて、添付した図面を参照しつつ、本発明を具体化した実施の形態につき説明し、本発明の理解に供する。
ここで、図１は本発明の一実施の形態に係る写真表紙アルバムの説明図、図２は同写真表紙アルバムの製造方法の説明図である。
図１に示すように、本発明の一実施の形態に係る写真表紙アルバム１０は、アルバムの一例である卒業記念アルバム１１の表表紙１３の表面の布地１２に卒業記念アルバム１１の持ち主の写真１４が転写されている。
図２を参照して、写真表紙アルバム１０の製造方法について説明する。まず、内容が同じ単一製品として製作された複数の卒業記念アルバム１１を準備する。各卒業記念アルバム１１は中身を含めてアルバム自体が完成した状態のものである。なお、卒業記念アルバムが製作途中であって、中身のない表紙のみの状態であってもよい。卒業記念アルバム１１の表紙はボール紙の表面に布地１２が貼り付けられたものである。
【００１１】
次に、各卒業記念アルバム１１の持ち主である卒業生を表す元写真１５を準備する。この元写真１５は銀塩フィルム用カメラで撮影して、紙に焼き付けた写真であって、元写真１５をフラットベッドスキャナ１６でスキャンニングして、そのデジタルデータをパーソナルコンピュータ１７に取り込む。更に、パーソナルコンピュータ１７によってデータの色補正及び文字入れ加工（例えば、持ち主の名前の記載）を行う。このデータをパーソナルコンピュータ１７に接続したインクジェットプリンタ１８により、熱転写用紙１９に出力（印刷）する。本実施の形態では、正像で転写する熱転写用紙１９を用いたので、正像で出力している。逆像で転写する熱転写用紙に出力してもよい。熱転写用紙１９に出力する転写用の写真２０の大きさは、卒業記念アルバム１１の表表紙１３よりも小さく形成する。
【００１２】
転写用写真２０は、熱転写用紙１９から写真２０の大きさより少し大きく（例えば、写真２０の周辺に５ｍｍ程度の余白を残して）切り取る。切り取られた写真２０を卒業記念アルバム１１の表表紙１３の任意の位置に配置し、あて布として、普通紙２１を写真２０の上に配置する。普通紙２１の上からアイロン２２により１５０〜２００℃の熱を加え、写真２０を表表紙１３に転写する。このようにして、各卒業記念アルバム１１の表表紙１３に卒業生ごとに異なる写真を転写してそれぞれの写真表紙アルバム１０を作製する。なお、熱転写の加熱温度が１５０℃未満では、転写した写真が定着しにくく剥がれ易くなり、２００℃を越えると、インクジェットプリンタのインクの変色や布地を傷めるおそれがある。好ましくは１８０〜１９０℃で加熱する。
【００１３】
本発明は前記実施の形態に限定されるものではなく、本発明の要旨を変更しない範囲での変更は可能であり、例えば、前記した実施の形態や変形例の一部又は全部を組み合わせて本発明の写真表紙アルバムを構成する場合にも適用される。
例えば、前記実施の形態の写真表紙アルバムは、アルバムとして卒業記念アルバムを使用したが、遺稿集、風景のアルバム、写真集であってもよい。更に、表紙に飾る写真をそのアルバムの持ち主の写真としたが、クラス写真であっても、（持ち主の選んだ）そのアルバムの主題にちなんだ特定の写真であってもよい。紙に焼き付けた写真をフラットベッドスキャナでスキャンニングしているが、元写真のネガフィルム又はポジフィルムをフィルムスキャナでスキャンニングしてもよい。また、元写真として、デジタルカメラで撮った写真のデジタルデータを用いてもよい。パーソナルコンピュータによって、補正や加工を行っているが、行わなくてもよい。また、熱転写法により転写を行ったが、周知の圧着による画像転写法が適用できる。この際には熱転写用紙の代わりに、圧着用紙を用いる。圧着法は加圧により転写するが、その際には熱を加えてもよい。アルバムの表紙を布地としたが、皮革や合成樹脂シートでもよい。ただし、合成樹脂シートの場合、熱転写の温度を約６０℃とする。転写用の写真２０の上にあて布として、普通紙２１を配置したが、布でもよく、また、あて布をしなくてもよい。表表紙に写真を転写しているが、裏表紙でも、内表紙でもよい。
【００１４】
【発明の効果】
請求項１〜４記載の写真表紙アルバムにおいては、アルバムの少なくとも表紙に熱転写法又は圧着法によりアルバムの主題又は持ち主を表す写真が貼り付けられているので、アルバムに個性を付与することができ、他との差別化が図られる。特に、請求項２記載の写真表紙アルバムにおいては、アルバムの表紙の表面は布地であって、写真はインクジェットプリンタにより熱転写用紙に出力された写真が、１５０〜２００℃の加熱によって布地に熱転写されているので、高級感を保ちつつ、アルバム表面の布地に簡単に写真を転写することができ、退色し難く、耐水性、耐久性を有し、高品質なアルバムを造ることができる。
請求項３記載の写真表紙アルバムにおいては、アルバムの表紙の表面は布地であって、写真はインクジェットプリンタにより圧着用紙に出力された写真が、加圧によって、前記布地に圧着により転写されたものであるので、高級感を保ちつつ、アルバム表面の布地に簡単に写真を転写することができ、退色し難く、耐水性、耐久性を有し、高品質なアルバムを造ることができる。
請求項４記載の写真表紙アルバムにおいては、同一の内容を有した複数のアルバムは、アルバムの持ち主によって、表紙に転写される写真が異なるので、それぞれに個性のあるアルバムを造ることができる。
【図面の簡単な説明】
【図１】本発明の一実施の形態に係る写真表紙アルバムの説明図である。
【図２】同写真表紙アルバムの製造方法の説明図である。
【符号の説明】
１０：写真表紙アルバム、１１：卒業記念アルバム、１２：布地、１３：表表紙、１４：写真、１５：元写真（焼き付けられた写真）、１６：フラットベッドスキャナ、１７：パーソナルコンピュータ、１８：インクジェットプリンタ、１９：熱転写用紙、２０：転写用の写真、２１：普通紙、２２：アイロン
【図１】
2004050496.tif 000003
【図２】
2004050496.tif 000004